(57)【要約】      （修正有）【課題】個人の使用慣習ニ応じて浴室空間区の各ユニットを設定でき、ユーザーが使用する時、より快適的、より便利的、そして、個人化が実現される効果が得られる制御装置付きの個人化浴室を提供する。【解決手段】少なくとも、エアコンユニットと発光ユニット１２、オディオビデオ再生ユニット１３、衛生浴室設備、手洗い台ユニット１５及び通信ユニットがある浴室空間区１と、手洗い台ユニット１５に設けられ、エアコンユニットと発光ユニット１２、オディオビデオ再生ユニット１３、衛生浴室設備、手洗い台ユニット１５及び通信ユニットに電気接続される制御機構２とが含有され、制御機構２は、個人化設定モジュールと、浴室空間区１の外部において、適当な位置に設置され、個人化設定モジュールに電気接続される識別ユニットとが含有される。【選択図】図１
0003144378.tif 000002
【実用新案登録請求の範囲】
【請求項１】
少なくとも、エアコンユニットと発光ユニット、オディオビデオ再生ユニット、衛生浴室設備、手洗い台ユニット及び通信ユニットを有する浴室空間区と、
上記の浴室空間区の手洗い台ユニットに設置され、エアコンユニットと発光ユニット、オディオビデオ再生ユニット、衛生浴室設備、手洗い台ユニット及び通信ユニットに電気接続され、また、個人化設定モジュールと格納ユニットが含有される制御機構と、
上記の浴室空間区の外部において、抵当な位置に設置され、制御機構の個人化設定モジュールに電気接続される識別ユニットと、が含有されることを特徴とする制御装置付きの個人化浴室環境。
【請求項２】
該衛生浴室設備に、少なくとも、浴槽ユニットとシャワーユニット及び便座ユニットが含有されることを特徴とする請求項１に記載の制御装置付きの個人化浴室環境。
【請求項３】
該手洗い台ユニットに、少なくとも、二つの手洗い槽と鏡及び複数の格納箪笥が含有され、また、該手洗い台ユニットの下方に、体重計があることを特徴とする請求項１に記載の制御装置付きの個人化浴室環境。
【考案の詳細な説明】
【技術分野】
【０００１】
本考案は、制御装置付きの個人化浴室環境に関し、制御機構により、個人の使用慣習に応じて、浴室空間区の各ユニットを設定し、ユーザーが使用する時、より快適的、より便利的、そして、個人化が実現されるものに関する。
【背景技術】
【０００２】
一般の、従来の浴室は、一般として、シャワーユニットや便座、浴槽及び手洗い台等の衛生浴室設備が設置され、ユーザーが、それを使用して体を清潔にする。
【０００３】
上記の従来の浴室は、ユーザーの体を清潔する機能を提供するが、一般の浴室は、一般として、基本の冷、熱水を供給するため、ユーザーが、シャワーや風呂、手洗い或いは便座を利用でき、また、一般の浴室では、ユーザーが熱水を使用する時、温水器が稼働される所定の時間を待たなければ、熱水を使用できず、水資源の無駄だけでなく、使用上、不便であり、また、浴室で体を清潔する中、電話があると、ユーザーが、浴室の門や窓が締まられるため、聞こえなくなり、或いる、トイレや清潔中、電話に出られなくなり、また、ユーザーが、機嫌良く風呂に入っている時、浴室環境による制限により、浴槽に居る時、浴室の壁や天井を見ることしかできず、リラックスのための活動ができなくなり、より良い疲れ取り効果が得られない。そのため、一般の従来の浴室は、実用的とは言えない。
【考案の開示】
【考案が解決しようとする課題】
【０００４】
本考案の主な目的は、浴室の使用上の不便を解消するため、主として、制御機構により、個人の使用慣習に応じて、浴室空間区の各ユニットを設定でき、ユーザーが使用する時、より快適的、より便利的、そして、個人化が実現される効果が得られる。
【課題を解決するための手段】
【０００５】
請求項１の考案は、少なくとも、エアコンユニットと発光ユニット、オディオビデオ再生ユニット、衛生浴室設備、手洗い台ユニット及び通信ユニットを有する浴室空間区と、上記の浴室空間区の手洗い台ユニットに設置され、エアコンユニットと発光ユニット、オディオビデオ再生ユニット、衛生浴室設備、手洗い台ユニット及び通信ユニットに電気接続され、また、個人化設定モジュールと格納ユニットが含有される制御機構と、上記の浴室空間区の外部において、抵当な位置に設置され、制御機構の個人化設定モジュールに電気接続される識別ユニットと、が含有される、ことを特徴とする制御装置付きの個人化浴室環境である。
【０００６】
請求項２の考案は、該衛生浴室設備に、少なくとも、浴槽ユニットとシャワーユニット及び便座ユニットが含有されることを特徴とする請求項１に記載の制御装置付きの個人化浴室環境である。
【０００７】
請求項３の考案は、該手洗い台ユニットに、少なくとも、二つの手洗い槽と鏡及び複数の格納箪笥が含有され、また、該手洗い台ユニットの下方に、体重計があることを特徴とする請求項１に記載の制御装置付きの個人化浴室環境である。
【考案を実施するための最良の形態】
【０００８】
図１と２及び３は、それぞれ、本考案の正面状態概念図と本考案の上面状態概念図及び本考案に係わる制御機構のフロック概念図である。本考案は、図のように、制御装置付きの個人化浴室環境であり、少なくとも、浴室空間区１と制御機構２及び識別ユニット３から構成され、制御機構２により、個人の使用慣習に応じて、浴室空間区１の各ユニットを設定し、ユーザーが使用する時、より快適、より便利的、そして、個人化が実現される効果が得られる。
【０００９】
上記の浴室空間区１は、少なくとも、エアコンユニット１１と発光ユニット１２、オディオビデオ再生ユニット１３、衛生浴室設備１４、手洗い台ユニット１５及び通信ユニット１６が含有され、該衛生浴室設備１４は、少なくとも、浴槽ユニット１４１とシャワーユニット１４２及び便座ユニット１４３が含有され、該手洗い台ユニット１５は、少なくとも、二つの手洗い槽１５１と鏡１５２及び複数の格納箪笥１５３が含有され、また、該手洗い台ユニット１５の下方に、体重計１５４があり、該通信ユニット１６は、入力端１６１と出力端１６２があり、該入力端１６１は、ブルートゥースや赤外線等の無線伝送インターフェースや導線を利用する有線伝送インターフェースであり、また、該出力端１６２は、喇叭である。
【００１０】
該制御機構２は、上記の浴室空間区１の手洗い台ユニット１５に設置され、また、エアコンユニット１１と発光ユニット１２、オディオビデオ再生ユニット１３、衛生浴室設備１４、手洗い台ユニット１５及び通信ユニット１６に電気接続され、また、該制御機構２は、個人化設定モジュール２１と格納ユニット２２が含有され、該個人化設定モジュール２１は、少なくとも、エアコンユニット１１に電気接続されるエアコン設定部２１１と、発光ユニット１２に電気接続される灯光設定部２１２と、オディオビデオ再生ユニット１３に電気接続される視聴設定部２１３と、衛生浴室設備１４と手洗い台ユニット１５に電気接続される水温設定部２１４と、通信ユニット１６に電気接続される通信設定部２１５とが含有され、また、各設定が、格納ユニット２２に格納される。
【００１１】
該識別ユニット３は、上記の浴室空間区１の外部の適当な位置に設置され、また、制御機構２の個人化設定モジュール２１に電気接続され、また、該識別ユニット３は、指紋識別器である。上記の構造により、新規の制御装置付きの個人化浴室環境が構成される。
【００１２】
図４と５は、それぞれ、本考案の使用状態の上面概念図と本考案の使用状態のフロック概念図である。図のように、運用する時、手洗い台ユニット１５の格納箪笥１５３を区画して、各ユーザーの個人清潔や衛生用品を収納し、また、各ユーザーが、制御機構２の個人化設定モジュール２１で浴室空間区１のエアコンユニット１１や発光ユニット１２、オディオビデオ再生ユニット１３、衛生浴室設備１４、手洗い台ユニット１５及び通信ユニット１６を、必要に応じて設定し、設定する時、個人化設定モジュール２１のエアコン設定部２１１で、エアコンユニット１１の温度を設定し、灯光設定部２１２で発光ユニット１２の点灯や消灯及び輝度を設定し、視聴設定部２１３でオディオビデオ再生ユニット１３の画像や音響再生チャンネル及び音量等を設定し、水温設定部２１４で、衛生浴室設備１４と手洗い台ユニット１５が出力した水温（例えば、手洗い槽１５１の水栓や浴槽ユニット１４１、シャワーユニット１４２及び便座ユニット１４３の水温）を設定し、また、通信ユニット１６の入力部１６１を介して、携帯電話４に連結すると、通信設定部２１５で、電話受渡しや音量或いは応答するか等の機能を設定してから、上記のように設定された個人化設定値を分類して、識別ユニット３によって識別されてから格納ユニット２２に入力されて格納され、これにより、ユーザーが、個人の浴室空間区１を使用する慣習が、制御機構２に設定されて格納され、個人化設定が完成される。
【００１３】
ユーザーが浴室空間区１を使用する前、浴室空間区１の外部に位置する識別ユニット３により、個人指紋の識別を行い、また、ユーザーの指紋が判読された後、制御機構２の格納ユニット２２にある個人化設定を読取り、ユーザーが浴室空間区１に入ったら、個人の格納箪笥１５３から個人の清潔や衛生用品を取りだし、また、該手洗い台ユニット１５の下方にある体重計１５４により体重を量り、また、浴室空間区１のエアコンユニット１１と発光ユニット１２、オディオビデオ再生ユニット１３、衛生浴室設備１４、手洗い台ユニット１５及び通信ユニット１６は、設定されたエアコン温度や灯光点灯や点滅及び輝度、画像、音響再生チャンネル、音量、出力する水温、來電受渡し、音量、応答するか等の設定値に基づいて稼働し、これにより、浴室空間区１のエアコンユニット１１と発光ユニット１２、オディオビデオ再生ユニット１３、衛生浴室設備１４、手洗い台ユニット１５及び通信ユニット１６は、個人化設定モジュール２１の各設定に基づいて、各ユーザーの異なる個人慣習に応じて設定された使用情況を提供できる。
【００１４】
以上の説明から分かるように、本考案に係わる制御装置付きの個人化浴室環境は、有效に従来の諸欠点を改善でき、制御機構により個人の使用慣習に応じて浴室空間区の各ユニットを設定でき、ユーザーが使用する時、より快適、より便利、そして、個人化が実現される効果が得られ、そのため、本考案は、より進歩的かつより実用的で、法に従って実用新案登録請求を出願する。
【００１５】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１６】
【図１】本考案の正面状態概念図
【図２】本考案の上面状態概念図
【図３】本考案に係わる制御機構のフロック概念図
【図４】本考案の使用状態の上面概念図
【図５】本考案の使用状態のフロック概念図
【符号の説明】
【００１７】
１        浴室空間区
１１      エアコンユニット
１２      発光ユニット
１３      オディオビデオ再生ユニット
１４      衛生浴室設備
１４１    浴槽ユニット
１４２    シャワーユニット
１４３    便座ユニット
１５      手洗い台ユニット
１５１    手洗い槽
１５２    鏡
１５３    格納箪笥
１５４    体重計
１６      通信ユニット
１６１    入力端
１６２    出力端
２        制御機構
２１      個人化設定モジュール
２１１    エアコン設定部
２１２    灯光設定部
２１３    視聴設定部
２１４    水温設定部
２１５    通信設定部
２２      格納ユニット
３        識別ユニット
４        携帯電話
【図１】
0003144378.tif 000003
【図２】
0003144378.tif 000004
【図３】
0003144378.tif 000005
【図４】
0003144378.tif 000006
【図５】
0003144378.tif 000007
【手続補正書】
【提出日】平成20年6月25日(2008.6.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも、エアコンユニットと発光ユニット、オディオビデオ再生ユニット、衛生浴室
設備、手洗い台ユニット及び通信ユニットを有する浴室空間区と、
上記の浴室空間区の手洗い台ユニットに設置され、エアコンユニットと発光ユニット、オ
ディオビデオ再生ユニット、衛生浴室設備、手洗い台ユニット及び通信ユニットに電気接
続され、また、個人化設定モジュールと格納ユニットが含有される制御機構と、
上記の浴室空間区の外部において、抵当な位置に設置され、制御機構の個人化設定モジュ
ールに電気接続される識別ユニットと、が含有されることを特徴とする制御装置付きの個
人化浴室。
【請求項２】
該衛生浴室設備に、少なくとも、浴槽ユニットとシャワーユニット及び便座ユニットが含
有されることを特徴とする請求項１に記載の制御装置付きの個人化浴室。
【請求項３】
該手洗い台ユニットに、少なくとも、二つの手洗い槽と鏡及び複数の格納箪笥が含有され
、また、該手洗い台ユニットの下方に、体重計があることを特徴とする請求項１に記載の
制御装置付きの個人化浴室。
【手続補正３】
【補正対象書類名】明細書
【補正対象項目名】０００１
【補正方法】変更
【補正の内容】
【０００１】
本考案は、制御装置付きの個人化浴室に関し、制御機構により、個人の使用慣習に応
じて、浴室空間区の各ユニットを設定し、ユーザーが使用する時、より快適的、より便利
的、そして、個人化が実現されるものに関する。
【手続補正４】
【補正対象書類名】明細書
【補正対象項目名】０００５
【補正方法】変更
【補正の内容】
【０００５】
請求項１の考案は、少なくとも、エアコンユニットと発光ユニット、オディオビデオ再生
ユニット、衛生浴室設備、手洗い台ユニット及び通信ユニットを有する浴室空間区と、上
記の浴室空間区の手洗い台ユニットに設置され、エアコンユニットと発光ユニット、オデ
ィオビデオ再生ユニット、衛生浴室設備、手洗い台ユニット及び通信ユニットに電気接続
され、また、個人化設定モジュールと格納ユニットが含有される制御機構と、上記の浴室
空間区の外部において、抵当な位置に設置され、制御機構の個人化設定モジュールに電気
接続される識別ユニットと、が含有される、ことを特徴とする制御装置付きの個人化浴室
である。
【手続補正５】
【補正対象書類名】明細書
【補正対象項目名】０００６
【補正方法】変更
【補正の内容】
【０００６】
請求項２の考案は、該衛生浴室設備に、少なくとも、浴槽ユニットとシャワーユニット及
び便座ユニットが含有されることを特徴とする請求項１に記載の制御装置付きの個人化浴
室である。
【手続補正６】
【補正対象書類名】明細書
【補正対象項目名】０００７
【補正方法】変更
【補正の内容】
【０００７】
請求項３の考案は、該手洗い台ユニットに、少なくとも、二つの手洗い槽と鏡及び複数の
格納箪笥が含有され、また、該手洗い台ユニットの下方に、体重計があることを特徴とす
る請求項１に記載の制御装置付きの個人化浴室である。
【手続補正７】
【補正対象書類名】明細書
【補正対象項目名】０００８
【補正方法】変更
【補正の内容】
【０００８】
図１と２及び３は、それぞれ、本考案の正面状態概念図と本考案の上面状態概念図及び本
考案に係わる制御機構のフロック概念図である。本考案は、図のように、制御装置付きの
個人化浴室であり、少なくとも、浴室空間区１と制御機構２及び識別ユニット３から
構成され、制御機構２により、個人の使用慣習に応じて、浴室空間区１の各ユニットを設
定し、ユーザーが使用する時、より快適、より便利的、そして、個人化が実現される効果
が得られる。
【手続補正８】
【補正対象書類名】明細書
【補正対象項目名】００１１
【補正方法】変更
【補正の内容】
【００１１】
該識別ユニット３は、上記の浴室空間区１の外部の適当な位置に設置され、また、制御機
構２の個人化設定モジュール２１に電気接続され、また、該識別ユニット３は、指紋識別
器である。上記の構造により、新規の制御装置付きの個人化浴室が構成される。
【手続補正９】
【補正対象書類名】明細書
【補正対象項目名】００１４
【補正方法】変更
【補正の内容】
【００１４】
以上の説明から分かるように、本考案に係わる制御装置付きの個人化浴室は、有效に
従来の諸欠点を改善でき、制御機構により個人の使用慣習に応じて浴室空間区の各ユニッ
トを設定でき、ユーザーが使用する時、より快適、より便利、そして、個人化が実現され
る効果が得られ、そのため、本考案は、より進歩的かつより実用的で、法に従って実用新
案登録請求を出願する。